(57)【要約】  本発明に係るハイブリッドドライブ（１）は、情報の書き込みが不可能な記録層であって、ＰＣ（１６）において実行されるＯＳが予め記録されたＲＯＭ層（６）と、情報の書き込みが可能な記録層であるＲＥ層（７）とを有するハイブリッドディスク（５）に対して情報の記録または読み出しを行う。ハイブリッドドライブ（１）は、更新済ＯＳを取得する更新情報取得部（２５）と、取得した更新済ＯＳを記録するための不揮発性メモリ部（３）と、不揮発性メモリ部（３）に更新済ＯＳを記録するとともに、不揮発性メモリ部（３）に記録した更新済ＯＳをハイブリッドディスク（５）のＲＥ層（７）に記録する記録再生制御部（２６）および記録再生部（４）とを備える。
2011093494.tif 000002
【特許請求の範囲】
【請求項１】
情報の書き込みが不可能な記録層であって、情報処理装置により実行されるオペレーティングシステムが予め記録された第一記録層と、情報の書き込みが可能な記録層である第二記録層とを有する光ディスクに対して情報の記録または読み出しを行う記録再生装置において、
更新されたオペレーティングシステムに関する情報である更新済オペレーティングシステム情報を取得する取得手段と、
記録されている情報の読み出しを上記光ディスクよりも高速に行うことができる記憶装置と、
上記記憶装置に上記取得手段により取得した更新済オペレーティングシステム情報を記録する第一記録手段と、
上記記憶装置に記録した更新済オペレーティングシステム情報を上記光ディスクの第二記録層に記録する第二記録手段とを備えることを特徴とする記録再生装置。
【請求項２】
上記記憶装置に記録した更新済オペレーティングシステム情報と一致するように、上記光ディスクの第二記録層に記録している更新済オペレーティングシステム情報を書き換えるように所定のタイミングで第二記録手段に指示する同期手段を備えることを特徴とする請求項１に記載の記録再生装置。
【請求項３】
上記情報処理装置から更新済オペレーティングシステム情報の送信を要求する送信要求を取得する要求取得手段と、
上記第二記録層と上記記憶装置とに上記更新済オペレーティングシステム情報が記録されている場合、上記要求取得手段によって取得した送信要求に応じて、上記記憶装置から更新済オペレーティングシステム情報を読み出し、上記情報処理装置に送信する第一読み出し手段を備えることを特徴とする請求項１または２に記載の記録再生装置。
【請求項４】
上記送信要求を上記要求取得手段が取得した場合、上記記憶装置に記憶した更新済オペレーティングシステム情報に不具合があるか否か判定する判定手段と、
上記判定手段が、不具合があると判定した場合、上記光ディスクの第二記録層から更新済オペレーティングシステム情報を読み出し、上記情報処理装置に送信する第二読み出し手段とを備えることを特徴とする請求項３に記載の記録再生装置。
【請求項５】
上記光ディスクが当該記録再生装置に装填されているか否かを確認するディスク装填確認手段を備え、
上記第一読み出し手段は、
上記ディスク装填確認手段によって、上記光ディスクが装填されていると確認された場合に限り、上記記憶装置から上記更新済オペレーティングシステム情報を読み出すことを特徴とする請求項３または４に記載の記録再生装置。
【請求項６】
上記第二記録手段は、
上記第一記録層に格納された特定のプログラム、または、上記更新済オペレーティングシステム情報とともに配布された特定のプログラムにしたがって動作することを特徴とする請求項１から５までのいずれか１項に記載の記録再生装置。
【請求項７】
上記第二記録手段は、
上記第一記録層に格納された鍵情報を利用しなければ、上記第二記録層への書き込みができないことを特徴とする請求項１から６までのいずれか１項に記載の記録再生装置。
【請求項８】
上記記憶装置は、不揮発性の半導体メモリであることを特徴とする請求項１から７までのいずれか１項に記載の記録再生装置。
【請求項９】
情報の書き込みが不可能な記録層であって、情報処理装置により実行されるオペレーティングシステムが予め記録された第一記録層と、情報の書き込みが可能な記録層である第二記録層とを有する光ディスクに対して情報の記録または読み出しを行う記録再生装置の制御方法において、
上記記録再生装置は、記録されている情報の読み出しを上記光ディスクよりも高速に行うことができる記憶装置を備えており、
更新されたオペレーティングシステムに関する情報である更新済オペレーティングシステム情報を取得する取得ステップと、
上記記憶装置に上記取得ステップにおいて取得した更新済オペレーティングシステム情報を記録する第一記録ステップと、
上記記憶装置に記録した更新済オペレーティングシステム情報を上記光ディスクの第二記録層に記録する第二記録ステップとを含むことを特徴とする記録再生装置の制御方法。
【請求項１０】
コンピュータを請求項１から８までのいずれか１項に記載の記録再生装置の各手段として機能させるための記録再生装置の制御プログラム。
【請求項１１】
請求項１０に記載の記録再生装置の制御プログラムを記録したコンピュータ読み取り可能な記録媒体。
【発明の詳細な説明】
【技術分野】
【０００１】
本発明は、情報の書き込みが不可能な記録層であって、情報処理装置により実行されるオペレーティングシステムが予め記録された第一記録層と、情報の書き込みが可能な記録層である第二記録層とを有する光ディスクに対して情報の記録または読み出しを行う記録再生装置に関する。
【背景技術】
【０００２】
従来、Ｗｉｎｄｏｗｓ（登録商標）や、Ｍａｃ  ＯＳ（登録商標）に代表されるパーソナルコンピュータ（ＰＣ：personal computer）の基本ソフトであるオペレーティングシステム(ＯＳ:operating system)は、そのもの単体で、あるいはＰＣにプリインストールされた状態でユーザに提供される。【０００３】
ところで、システムの健全性(堅牢性)を確保するために、ウィルスなど悪意のあるソフトウェアへの対策のためや、システムの脆弱性を改善するためにＯＳの更新プログラムが公開されている。そこで、ユーザは、新しい更新プログラムが公開されると、手動または自動でインターネット経由にて更新プログラムをダウンロードし、ＯＳを最新の状態とする。そして、このように常にＯＳを最新状態に保つことで、ＰＣのセキュリティ（安全性）を確保している。【０００４】
しかしながらウィルスの感染経路が巧妙化しており、常時、ＯＳを最新状態にするなどユーザが細心の注意を払ったとしても、ＰＣがウィルスに感染してしまったり、あるいはハードウェアの故障やソフトウェアの不具合などにより、ＯＳが起動出来なくなってしまったり、ＯＳの動作が不安定になってしまったりすることがある。このようにＯＳを正常に実行することができなくなった場合、ユーザはＯＳを再インストールするなどの対応策が必要となる。【０００５】
ここで再インストール用のＯＳは、従来ではフロッピー（登録商標）ディスクやＣＤ−ＲＯＭなど読み取り可能な記録媒体に記録されている。近年では、ＯＳの多機能化に伴うプログラムサイズの肥大化と、ＤＶＤドライブの普及とに起因して、より記憶容量の大きいＤＶＤ−ＲＯＭに記録されることが多くなっている。さらには、ＤＶＤに代わる次世代メディアとしてＤＶＤよりもさらに記憶容量が大きく、高速アクセス可能なＢｌｕ−ｒａｙ  Ｄｉｓｃ(ＢＤ)が開発され、将来的にはＯＳの記録媒体としてＢＤを採用することが予想される。なお、特許文献１には光ディスクからデータを読み出し、起動処理を行う情報記録再生装置が開示されている。
【先行技術文献】
【特許文献】
【０００６】
【特許文献１】日本国公開特許公報「特開２００８−２９３５９２号公報（２００８年１２月４日公開）」
【発明の概要】
【発明が解決しようとする課題】
【０００７】
しかしながら、上述のような従来技術は、オペレーティングシステム（ＯＳ）を再インストールする場合、情報処理装置において再インストール後の安全性を確保することができないという問題が生じる。【０００８】
より具体的には、ＯＳに不具合が生じたため、光ディスクからＯＳを再インストールする場合、特許文献１では、光ディスクに格納されたＯＳは、最新の状態に更新されておらず、新しいセキュリティ対策がなされていない。このような更新前のＯＳのままでインターネットに接続すると情報処理装置はウィルスに感染する危険性が非常に高くなるという問題が生じる。【０００９】
本発明は、上記の問題点に鑑みてなされたものであり、その目的は、オペレーティングシステム（ＯＳ）を再インストールする場合、情報処理装置における再インストール後の安全性を確保することができる記録再生装置、記録再生装置の制御方法、記録再生装置の制御プログラム、および記録再生装置の制御プログラムを記録した記録媒体を実現することにある。
【課題を解決するための手段】
【００１０】
本発明に係る記録再生装置は、上記した課題を解決するために、情報の書き込みが不可能な記録層であって、情報処理装置により実行されるオペレーティングシステムが予め記録された第一記録層と、情報の書き込みが可能な記録層である第二記録層とを有する光ディスクに対して情報の記録または読み出しを行う記録再生装置において、更新されたオペレーティングシステムに関する情報である更新済オペレーティングシステム情報を取得する取得手段と、記録されている情報の読み出しを上記光ディスクよりも高速に行うことができる記憶装置と、上記記憶装置に上記取得手段により取得した更新済オペレーティングシステム情報を記録する第一記録手段と、上記記憶装置に記録した更新済オペレーティングシステム情報を上記光ディスクの第二記録層に記録する第二記録手段とを備えることを特徴とする。【００１１】
ここで更新されたオペレーティングシステムとは、例えば、情報処理装置におけるシステムの健全性(堅牢性)を確保するために、ウィルス対策や、システムの脆弱性を改善するために逐次提供される更新プログラムを反映させたオペレーティングシステムである。【００１２】
上記した構成によると、上記取得手段を備えるため、更新され、最新の状態となったオペレーティングシステムに関する情報（更新済オペレーティングシステム情報）を取得することができる。また、上記記憶装置を備え、上記第一記録手段と第二記録手段とを有するため、更新済オペレーティングシステム情報を記憶装置と、光ディスクとにそれぞれ格納しておくことができる。【００１３】
このため、情報処理装置においてオペレーティングシステムの実行に不具合が生じる場合であっても、情報処理装置は記憶装置または光ディスクに格納した更新済オペレーティングシステム情報を実行させ起動することができる。このように更新済オペレーティングシステム情報を使って情報処理装置は起動することができるため、オペレーティングシステムの再インストール後に想定される、情報処理装置のウィルス感染からの脅威を防ぎ安全性を確保することができる。【００１４】
特に、本発明に係る記録再生装置は、更新済オペレーティングシステム情報を、記憶装置と光ディスクとにそれぞれ格納する構成である。このため、情報処理装置におけるウィルス感染等に起因して記憶装置に格納した更新済オペレーティングシステム情報に不具合が生じたとしても、着脱可能な光ディスクに格納した更新済オペレーティングシステム情報には影響が及ばない。そこで、記憶装置に格納した更新済オペレーティングシステム情報に不具合が生じた場合、情報処理装置は光ディスクに格納した更新済オペレーティングシステム情報を実行して起動することができる。【００１５】
したがって、本発明に係る記録再生装置は、オペレーティングシステムを再インストールする場合、情報処理装置における再インストール後の安全性を確保することができるという効果を奏する。【００１６】
本発明に係る記録再生装置の制御方法は、上記した課題を解決するために、情報の書き込みが不可能な記録層であって、情報処理装置により実行されるオペレーティングシステムが予め記録された第一記録層と、情報の書き込みが可能な記録層である第二記録層とを有する光ディスクに対して情報の記録または読み出しを行う記録再生装置の制御方法において、上記記録再生装置は、記録されている情報の読み出しを上記光ディスクよりも高速に行うことができる記憶装置を備えており、更新されたオペレーティングシステムに関する情報である更新済オペレーティングシステム情報を取得する取得ステップと、上記記憶装置に上記取得ステップにおいて取得した更新済オペレーティングシステム情報を記録する第一記録ステップと、上記記憶装置に記録した更新済オペレーティングシステム情報を上記光ディスクの第二記録層に記録する第二記録ステップとを含むことを特徴とする。【００１７】
ここで更新されたオペレーティングシステムとは、例えば、情報処理装置におけるシステムの健全性(堅牢性)を確保するために、ウィルス対策や、システムの脆弱性を改善するために逐次提供される更新プログラムを反映させたオペレーティングシステムである。【００１８】
上記した方法によると、上記取得ステップを含むため、更新され、最新の状態となったオペレーティングシステムに関する情報（更新済オペレーティングシステム情報）を取得することができる。また、上記記憶装置を備え、上記第一記録ステップと第二記録ステップとを有するため、更新済オペレーティングシステム情報を記憶装置と、光ディスクとにそれぞれ格納しておくことができる。【００１９】
このため、情報処理装置においてオペレーティングシステムの実行に不具合が生じる場合であっても、情報処理装置は記憶装置または光ディスクに格納した更新済オペレーティングシステム情報を実行させ起動することができる。このように更新済オペレーティングシステム情報を使って情報処理装置は起動することができるため、オペレーティングシステムの再インストール後に想定される、情報処理装置のウィルス感染からの脅威を防ぎ安全性を確保することができる。【００２０】
特に、本発明に係る記録再生装置の制御方法では、更新済オペレーティングシステム情報を、記憶装置と光ディスクとにそれぞれ格納する構成である。このため、情報処理装置におけるウィルス感染等に起因して記憶装置に格納した更新済オペレーティングシステム情報に不具合が生じたとしても、着脱可能な光ディスクに格納した更新済オペレーティングシステム情報には影響が及ばない。そこで、記憶装置に格納した更新済オペレーティングシステム情報に不具合が生じた場合、情報処理装置は光ディスクに格納した更新済オペレーティングシステム情報を実行して起動することができる。【００２１】
したがって、本発明に係る記録再生装置の制御方法は、オペレーティングシステムを再インストールする場合、情報処理装置における再インストール後の安全性を確保することができるという効果を奏する。【００２２】
なお、上記記録再生装置は、コンピュータによって実現してもよく、この場合には、コンピュータを上記各手段として動作させることにより上記記録再生装置をコンピュータにて実現させる記録再生装置の制御プログラム、およびそれを記録したコンピュータ読み取り可能な記録媒体も、本発明の範疇に入る。
【発明の効果】
【００２３】
本発明に係る記録再生装置は、以上のように、情報の書き込みが不可能な記録層であって、情報処理装置により実行されるオペレーティングシステムが予め記録された第一記録層と、情報の書き込みが可能な記録層である第二記録層とを有する光ディスクに対して情報の記録または読み出しを行う記録再生装置において、更新されたオペレーティングシステムに関する情報である更新済オペレーティングシステム情報を取得する取得手段と、記録されている情報の読み出しを上記光ディスクよりも高速に行うことができる記憶装置と、上記記憶装置に上記取得手段により取得した更新済オペレーティングシステム情報を記録する第一記録手段と、上記記憶装置に記録した更新済オペレーティングシステム情報を上記光ディスクの第二記録層に記録する第二記録手段とを備えることを特徴とする。【００２４】
したがって、本発明に係る記録再生装置は、オペレーティングシステムを再インストールする場合、情報処理装置における再インストール後の安全性を確保することができるという効果を奏する。【００２５】
本発明に係る記録再生装置の制御方法は、以上のように、情報の書き込みが不可能な記録層であって、情報処理装置により実行されるオペレーティングシステムが予め記録された第一記録層と、情報の書き込みが可能な記録層である第二記録層とを有する光ディスクに対して情報の記録または読み出しを行う記録再生装置の制御方法において、上記記録再生装置は、記録されている情報の読み出しを上記光ディスクよりも高速に行うことができる記憶装置を備えており、更新されたオペレーティングシステムに関する情報である更新済オペレーティングシステム情報を取得する取得ステップと、上記記憶装置に上記取得ステップにおいて取得した更新済オペレーティングシステム情報を記録する第一記録ステップと、上記記憶装置に記録した更新済オペレーティングシステム情報を上記光ディスクの第二記録層に記録する第二記録ステップとを含むことを特徴とする。【００２６】
したがって、本発明に係る記録再生装置の制御方法は、オペレーティングシステムを再インストールする場合、情報処理装置における再インストール後の安全性を確保することができるという効果を奏する。
【図面の簡単な説明】
【００２７】
【図１】本発明の実施形態を示すものであり、ハイブリッドドライブのソフトウェア構成を示すブロック図である。
【図２】本発明の実施形態を示すものであり、ハイブリッドディスクの構造を説明する図である。
【図３】本発明の実施形態を示すものであり、ハイブリッドディスクが有する層構造を示す図である。
【図４】本発明の実施形態を示すものであり、ＰＣが備える要部構成を示すブロック図である。
【図５】本発明の実施形態を示すものであり、再インストール処理に係るＰＣの要部構成を示す図である。
【図６】更新済ＯＳの更新処理の流れを示すフローチャートである。
【図７】更新済ＯＳの起動処理および再インストール処理の流れを示すフローチャートである。
【発明を実施するための形態】
【００２８】
本発明の一実施形態について図１ないし図５に基づいて説明すると以下の通りである。すなわち、本実施の形態に係るＰＣ１６は、図４または図５に示すとおり、ＨＤＤ１２に格納されたＯＳ（オペレーティングシステム）を読み出し、実行することで各種処理を実現している。また、ハイブリッドディスク５に記録された情報を読み出したり、該ハイブリッドディスク５に情報を記録したりすることもできる。
【００２９】
本実施の形態に係るＰＣ１６は、外部から侵入したコンピュータウィルスやＨＤＤ１２の不具合等により、ＨＤＤ１２からＯＳを読み出して実行できなくなった場合、後述するハイブリッドドライブ（記録再生装置）１が備える不揮発性メモリ部（記憶装置）３に格納されたＯＳ、またはハイブリッドディスク（光ディスク）５に格納されたＯＳによりＰＣ１６を起動させ、ＯＳの再インストールを行うように構成されている。
【００３０】
また、ＰＣ１６は、ディスプレイ１７と入力装置１８とに接続されており、映像データをディスプレイ１７に出力して表示させたり、入力装置１８から入力された指示等の情報を受付け、該情報に応じた処理を実行したりすることができる。なお、ディスプレイ１７は、例えば、ＣＲＴディスプレイ、液晶ディスプレイ、またはプラズマディスプレイ等によって実現できる。また、入力装置１８は、例えば、キーボードまたはマウス等によって実現できる。さらにまたＰＣ１６は、通信ネットワーク１９を通じて外部の他の装置（不図示）から情報を取得したり、この他の装置に情報を送信したりすることができるようにもなっている。
【００３１】
（ハイブリッドディスク）
まず、本実施の形態に係るＰＣ１６において情報の記録および再生を行うことができるハイブリッドディスク５について図２、３を参照して説明する。図２は、本発明の実施形態を示すものでありハイブリッドディスク５の構造を説明する図である。この図２では、ハイブリッドディスク５に対しレーザビームを照射する側（光入射側）から見た状態を示している。図３は、本発明の実施形態を示すものでありハイブリッドディスク５が有する層構造を示す図である。
【００３２】
本実施の形態に係るハイブリッドディスク５は、記録層が多層化された光ディスクであり、記録層ごとに異なるフォーマットで記録または再生される。ハイブリッドディスク５は、例えば、記録層を多層化したＢＤディスク、ＤＶＤディスク等によって実現できる。
【００３３】
図２、３に示すように、ハイブリッドディスク５では、その内周側から順に、管理領域１０１、リードイン領域１０２、ユーザデータ領域１０３、およびリードアウト領域１０４が設けられている。
【００３４】
管理領域１０１は、ハイブリッドディスク５の最内周にあるＲＥ層（第二記録層）７に設けられており、トラッキング制御が不要な領域またはフォーカス制御のみでアクセス可能な記録領域である。本実施の形態に係るＰＣ１６では、ハイブリッドディスク５の搭載が検知されると、ハイブリッドドライブ１は、まず管理領域１０１の情報を読み取りにいくように設定されている。
【００３５】
管理領域１０１には、主として、ハイブリッドディスク５の構造を示すディスク情報が記録される。ディスク情報の具体例としては、ハイブリッドディスク５の記録層のタイプ（再生専用型、追記（ライトワンス）型、書き換え型）、ディスクサイズ、ハイブリッドディスク５のバージョン（速度等に関連）、サーボの極性、記録マークの極性およびハイブリッドディスク５に割り当てられている固有の識別番号などが挙げられる。
【００３６】
リードイン領域１０２は、管理領域１０１の外周側と隣接する位置に、記録層ごとに設けられた領域であり、ハイブリッドドライブ１が各記録層に対して処理を行う際に、最初にレーザビームが照射される記録領域である。リードイン領域１０２には、製造時にのみ情報の書き込みを行うことが可能な領域（書き込み不可領域）と、ハイブリッドドライブ１により自由に情報の書き換えを行うことが可能な領域（書き込み領域）とが設けられている。リードイン領域１０２には、例えば、ハイブリッドディスク５への記録・再生に関する条件、各記録層に対してアクセスが許可されるか否か（アクセス制限）を示す情報、製造時の欠陥および使用中にできた欠陥の位置を示す情報などが記録されている。
【００３７】
ユーザデータ領域１０３は、任意の各種情報を記録する、あるいは各種情報を記録することができる領域である。本実施の形態に係るハイブリッドディスク５では、ＲＯＭ層（第一記録層）６のユーザデータ領域１０３に、ＯＳの製品メーカーが用意したＯＳのブート用イメージファイル（オリジナルＯＳ）が予め記録されており、ＲＥ層７のユーザデータ領域１０３には、更新情報を反映させたＯＳ（更新済ＯＳ）のブート用イメージファイルが記録される。また、ＲＯＭ層６のユーザデータ領域１０３は、書き込み不可領域となっており、ＲＥ層７のユーザデータ領域１０３は、書き込み領域となっている。
【００３８】
リードアウト領域１０４は、ハイブリッドディスク５における各記録層の最外周側に設けられた領域であり、前述した欠陥の位置を示す情報などが記録される。
【００３９】
（ＰＣの構成）
次に図４を参照して本実施の形態に係るＰＣ１６の構成について説明する。図４は、本発明の実施形態を示すものであり、ＰＣ１６が備える要部構成を示すブロック図である。なお、説明の便宜上、ＰＣ１６において、ハイブリッドドライブ１以外の部分をＰＣ１６の本体部（情報処理装置）６０と称して区別するものとする。
【００４０】
ＰＣ１６は、図４に示すように、ハイブリッドドライブ１と、本体部６０とを備え、本体部６０がＣＰＵ９、チップセット１０、システムメモリ１１、ＨＤＤ１２、通信制御部１３、映像出力部１４、およびＩ／Ｏコントロール部１５を有する構成である。
【００４１】
ＣＰＵ９は、ＰＣ１６が備える各部の各種制御やデータの計算、加工等を行うものである。例えば、ＣＰＵ９は、ＨＤＤ１２からプログラムをシステムメモリ１１に読み出し、該プログラムを実行したり、入力装置１８またはＨＤＤ１２からデータを受け取り、演算や加工等を行い、その結果をディスプレイ１７に出力したりＨＤＤ１２に出力したりする。
【００４２】
チップセット１０は、ＣＰＵ９の外部バスとシステムメモリ１１や周辺機器（ディスプレイ１７、入力装置１８、ＨＤＤ１２、ハイブリッドドライブ１等）を接続する標準バスとのバスブリッジや、ＰＣ１６を構成するにあたり必要となる周辺回路を集積したチップである。
【００４３】
システムメモリ１１は、ＯＳが利用するメモリ領域である。例えば、ＯＳが管理するウィンドウの情報、ＯＳのカーネル部分等が格納される。
【００４４】
ＨＤＤ１２は、ＰＣ１６において保持すべき各種情報やＯＳ等を記憶するための外部記憶装置である。
【００４５】
通信制御部１３は、ＣＰＵ９からの制御指示に応じて、通信ネットワーク１９を介して他の装置と通信を確立させるように制御するものである。
【００４６】
映像出力部１４は、ＣＰＵ９からの制御指示に応じて、ディスプレイ１７にて映像データを表示させるように映像データの出力制御を行うものである。
【００４７】
Ｉ／Ｏコントロール部１５は、入力装置１８によって入力された情報を受付けるものであり、受付けた情報を、チップセット１０を介してＣＰＵ９に出力する。
【００４８】
ハイブリッドドライブ１は、ハイブリッドディスク５に記録されている情報を読み出したり、このハイブリッドディスク５に情報を書き込んだりするものである。より具体的には、ハイブリッドドライブ１は、図４に示すように、ハイブリッドドライブ主制御部２、不揮発性メモリ部３、記録再生部４、およびインターフェイス部８を備えている。
【００４９】
ハイブリッドドライブ主制御部２は、ＣＰＵ９からの制御指示に応じて、ハイブリッドドライブ１が備える各部の各種制御を行うものである。
【００５０】
より具体的には、ハイブリッドドライブ主制御部２は、記録再生部４を駆動させ、不図示の光ヘッドから記録用のレーザビームをハイブリッドディスク５における記録部位に照射し、情報を記録させる。また、ハイブリッドドライブ主制御部２は、記録再生部４を駆動させ、不図示の光ヘッドから再生用のレーザビームをハイブリッドディスク５における記録部位に照射し、情報を再生させる。また、ハイブリッドドライブ主制御部２は、不揮発性メモリ部３に情報を書き込むものでもある。
【００５１】
不揮発性メモリ部３は、電源を切っても記憶内容を保持することができる半導体メモリであって、例えば、フラッシュメモリ等によって実現できる。この不揮発性メモリ部３には、後述するが、ハイブリッドディスク５のＲＥ層７に記録される、更新されたＯＳのブート用イメージファイル（更新済ＯＳ（更新済オペレーティングシステム情報））と同様の情報が格納される。
【００５２】
インターフェイス部８は、例えばＡＴＡＰＩ（AT Attachment Packet Interface)に準拠したデータ転送方式によりハイブリッドドライブ１と本体部６０とを接続するためのインターフェイスを提供するものである。
【００５３】
記録再生部４は、ハイブリッドドライブ主制御部２からの制御指示に応じて、不図示の光ピックアップを駆動させハイブリッドディスク５にデータを記録したり、記録されたデータを読み出したりするものである。また、記録再生部４は、ハイブリッドディスク５の装填を検出する不図示の装填検出部を備え、その検出結果を示す検出信号をハイブリッドドライブ主制御部２に送信するものでもある。
【００５４】
（ハイブリッドドライブのソフトウェア構成）
ここで、図１に示す機能ブロックを参照して、ハイブリッドドライブ１のソフトウェア構成について説明する。図１は本発明の実施形態を示すものであり、ハイブリッドドライブ１のソフトウェア構成を示すブロック図である。
【００５５】
図１に示すように、ハイブリッドドライブ１では、ハイブリッドドライブ主制御部２が機能ブロックとしてディスク装填確認部２１、層情報取得部２２、起動層認識部２３、更新情報取得部（取得手段）２５、記録再生制御部（第一記録手段、第二記録手段、第一読み出し手段、第二読み出し手段）２６、読み出し指示取得部（要求取得手段）２７、エラー判定部（判定手段）２８、および同期指示部（同期手段）２９を備えてなる構成である。なお、これら機能ブロックは、例えば、ハイブリッドドライブ主制御部２がＣＰＵ等によって実現できる場合、このＣＰＵが不揮発性メモリ部３に格納されたプログラムを読み出し実行することで実現できる。あるいは、ＣＰＵが、ハイブリッドディスク５からプログラムを不揮発性メモリ部３に読み出し、実行することで実現する構成としてもよい。
【００５６】
また、記録再生制御部２６と記録再生部４とによって、本発明の第二記録手段、および第二読み出し手段を実現する。
【００５７】
ディスク装填確認部（ディスク装填確認手段）２１は、記録再生部４から送信された検出信号の受信の有無によりハイブリッドディスク５がハイブリッドドライブ１に装填されたか否か確認するものである。ディスク装填確認部２１は、ハイブリッドディスク５が装填されたと判定した場合、その判定結果を層情報取得部２２およびインターフェイス部８を介して本体部６０に送信する。このように、本体部６０にも判定結果を送信するため、本体部６０においてもハイブリッドディスク５の装填を把握することができる。
【００５８】
層情報取得部２２は、ディスク装填確認部２１から受信した判定結果に応じて、装填されたハイブリッドディスク５の管理領域１０１およびリードイン領域１０２から各種情報を取得するものである。例えば、層情報取得部２２は、管理領域１０１からディスク情報を取得することにより、装填された光ディスクがハイブリッドディスクであるか否かを確認することができる。
【００５９】
起動層認識部２３は、層情報取得部２２から受信した層指定情報に基づき、最初に起動させる記録層を確定するものである。本実施形態では、ハイブリッドディスク５において、予めアクセスする記録層に優先順位が設けられており、ハイブリッドドライブ１はこの優先順位に従って記録層へアクセスするように構成されている。より具体的には、ハイブリッドドライブ１は、ＲＥ層７、ＲＯＭ層６の順にアクセスするように構成されている。つまり、ハイブリッドドライブ１は、ＲＥ層７に最初にアクセスし、更新済ＯＳを読み出せない場合には、ＲＯＭ層６にアクセスしてＯＳ（オリジナル）を読み出すように構成されている。
【００６０】
しかしながらこのように予めアクセスする記録層に優先順位を決める構成に限定されるものではなく、リードイン領域１０２に、ハイブリッドディスク５が装填されたときに最初にアクセスする記録層を指定するための層指定情報を記録する構成としてもよい。
【００６１】
起動層認識部２３は、記録層を確定すると、該記録層から情報の読み出し、あるいは書き込みができるように準備するよう記録再生制御部２６に指示する。この起動層認識部２３からの指示に応じて、記録再生制御部２６は、確定された記録層のユーザデータ領域から情報を読み出したり、ユーザデータ領域に情報を書き込んだりできるように記録再生部４を制御する。
【００６２】
更新情報取得部２５は、インターフェイス部８を通じて本体部６０からＯＳの更新情報を取得するものである。より具体的には、更新情報取得部２５は、本体部６０から更新済ＯＳ（更新されたＯＳのブート用イメージデータ）を取得するものである。更新情報取得部２５は、更新済ＯＳを取得すると記録再生制御部２６に送信し、不揮発性メモリ部３に記録されている更新済ＯＳを新たに取得した更新済ＯＳに書き換えるように指示する。
【００６３】
同期指示部２９は、不揮発性メモリ部３に格納されている更新済ＯＳの内容に、ハイブリッドディスク５に格納されている更新済ＯＳの内容を一致させるように同期指示を行うものである。同期指示部２９は、この同期指示を所定の間隔で行うように構成されている。なお、同期を指示するタイミングはこの所定間隔に限定されるものではなく、例えば、ディスク装填確認部２１がハイブリッドディスク５の装填を確認した場合に、同期指示部２９が同期指示する構成としてもよい。
【００６４】
なお、ハイブリッドディスク５のＲＥ層７への情報の書き込みは、ＲＯＭ層６に格納した特定のプログラムを実行させ、ＲＯＭ層６に格納された鍵情報を利用しなければ実行できないようになっている。このため、不正にＲＥ層７に記録された更新済ＯＳを改ざんしたり更新したりすることを防止することができる。つまり、同期指示部２９からの同期指示に応じて記録再生制御部２６が記録再生部４を制御して、ＲＥ層７に記録された更新済ＯＳの内容を不揮発性メモリ部３に格納された更新済ＯＳの内容に書き換える処理は、ハイブリッドドライブ主制御部２がＲＯＭ層６から特定のプログラムと鍵情報とを読み出し、実行することで実現できるように構成されている。
【００６５】
読み出し指示取得部２７は、本体部６０からのＯＳ読み出し指示を、インターフェイス部８を介して受信するものである。読み出し指示取得部２７は、ＯＳ読み出し指示を受信すると、不揮発性メモリ部３に格納されているＯＳのデータが破損していないかどうか判定するようにエラー判定部２８に指示する。
【００６６】
エラー判定部２８は、読み出し指示取得部２７からの指示に応じて、不揮発性メモリ部３に格納された更新済ＯＳのデータが破損していないかどうか判定するものである。ここで、データが破損していないと判定した場合、エラー判定部２８は、記録再生制御部２６に指示して不揮発性メモリ部３から更新済ＯＳを取得させる。一方、データが破損して使用できないと判定した場合、エラー判定部２８は、記録再生制御部２６に指示してハイブリッドディスク５から更新済ＯＳを取得させる。
【００６７】
また、記録再生制御部２６は、同期指示部２９からの指示に応じて、不揮発性メモリ部３に記憶されている更新済ＯＳと一致するように、ハイブリッドディスク５のＲＥ層７に格納された更新済ＯＳを書き換えるものでもある。
【００６８】
また、記録再生制御部２６は、更新情報取得部２５からの指示に応じて、不揮発性メモリ部３に格納された更新済ＯＳを最新状態となるように更新するものでもある。
【００６９】
また、記録再生制御部２６は、エラー判定部２８からの指示に応じて、不揮発性メモリ部３またはハイブリッドディスク５から更新済ＯＳを読み出し、インターフェイス部８を通じてＣＰＵ９に送信するものでもある。
【００７０】
（ＯＳの更新処理）
次に、ハイブリッドドライブ１が備える不揮発性メモリ部３およびハイブリッドディスク５に格納された更新済ＯＳの更新処理について、図６を参照しながら説明する。なお、前提として、ハイブリッドディスク５がハイブリッドドライブ１において装填されているものとする。
【００７１】
ＰＣ１６では、入力装置１８からＯＳの更新処理の実行指示を受付ける、あるいは定期的に自動でＯＳの更新処理の実行指示が発せられると（Ｓ１０１においてＹＥＳ）、ＣＰＵ９からの制御指示の下、通信制御部１３が通信ネットワーク１９を介してＯＳの製品メーカーのサイトに接続する。そして、通信制御部１３は、製品メーカーのサイトからＯＳの更新情報を取得する（Ｓ１０２）。取得した更新情報は、ＣＰＵ９の制御指示の下、ＨＤＤ１２に格納されているＯＳに反映され（Ｓ１０３）、ＣＰＵ９が更新後のＯＳのブート用イメージファイルを生成する。そして、ＣＰＵ９が生成したＯＳのブート用イメージファイル、すなわち更新済ＯＳを、ハイブリッドドライブ１に送信する（Ｓ１０４）。
【００７２】
ハイブリッドドライブ１では、ＰＣ１６の本体部からインターフェイス部８を通じて、更新情報取得部２５が更新済ＯＳを受信する（Ｓ１０５）。そして、更新情報取得部２５は、取得した更新済ＯＳを記録再生制御部２６に送信し、不揮発性メモリ部３に格納された更新済ＯＳを最新状態に書き換えるように指示する。
【００７３】
記録再生制御部２６は、更新情報取得部２５からの指示に応じて、不揮発性メモリ部３に格納した更新済ＯＳを、最新状態の更新済ＯＳに書き換える（Ｓ１０６）。このようにして、ＰＣ１６では、ＨＤＤ１２に格納されている更新済ＯＳを最新の状態とするとともに、最新の状態にバージョンアップされた更新済ＯＳのバックアップをハイブリッドドライブ１が備える不揮発性メモリ部３に記録させることができる。
【００７４】
また、記録再生制御部２６は、同期指示部２９から不揮発性メモリ部３に格納している更新済ＯＳとハイブリッドディスク５のＲＥ層７に格納している更新済ＯＳとを一致させるように同期指示を受信すると（Ｓ１０７においてＹＥＳ）、不揮発性メモリ部３から更新済ＯＳを読み出す。そして、記録再生部４に指示してＲＥ層７に記録している更新済ＯＳを、この不揮発性メモリ部３から読み出した更新済ＯＳに書き換える（Ｓ１０９）。
【００７５】
すなわち、ＰＣ１６では、最新の状態にバージョンアップされた更新済ＯＳのバックアップをハイブリッドドライブ１が備える不揮発性メモリ部３だけではなくハイブリッドディスク５にも記録させておくことができる。
【００７６】
上述したとおり、同期指示部２９からの同期指示に応じて記録再生制御部２６が記録再生部４を制御して、ＲＥ層７に記録された更新済ＯＳの内容を不揮発性メモリ部３に格納された更新済ＯＳの内容に書き換える処理（Ｓ１０９）は、ハイブリッドドライブ主制御部２がＲＯＭ層６から特定のプログラムと鍵情報とを読み出し（Ｓ１０８）、実行することで実現できるように構成されている。
【００７７】
Ｓ１０９にて、更新済ＯＳの内容を書き換える処理が完了すると、ハイブリッドドライブ１は、更新結果をＰＣ１６に送信し（Ｓ１１０）、ＰＣ１６は、上記更新結果を受信する（Ｓ１１１）。
【００７８】
（ＯＳの再インストール処理）
次に、ＰＣ１６において不具合が生じてＨＤＤ１２に格納されている更新済ＯＳを実行させることができなくなった場合に行うＯＳの起動処理または再インストール処理を、図５および図７を参照して説明する。図５は本発明の実施形態を示すものであり、起動処理または再インストール処理に係るＰＣ１６の要部構成を示す図である。この図５では、起動処理または再インストール処理に係るハイブリッドドライブ１と本体部６０とのソフトウェア構成についてのみ図示しており、そのほかの部材については説明の便宜上省略するものとする。
【００７９】
ＯＳの起動処理または再インストール処理に係るソフトウェア構成として、ハイブリッドドライブ１では、ハイブリッドドライブ主制御部２が記録再生制御部２６、読み出し指示取得部２７、およびエラー判定部２８を備える。なお、これらの機能ブロックについては既に上記で説明しているためここでの説明は省略する。
【００８０】
また、ＯＳの起動処理または再インストール処理に係るソフトウェア構成として、本体部６０では、主制御部９０が機能ブロックとして起動処理部９１、起動状態判定部９２、およびＯＳ読み出し指示部９３を備える。なお、主制御部９０は、ＣＰＵ９により実現されるものであり、各機能ブロックは、ＣＰＵ９がＨＤＤ１２からプログラムを読み出し、システムメモリ１１で実行することにより実現できる。なお、主制御部９０が備える各機能ブロックを実現するプログラムは、ＨＤＤ１２に格納される構成に限定されるものではない。例えば、このプログラムをハイブリッドディスク５に記録しておき、ハイブリッドドライブ１を介してＣＰＵ９がこのハイブリッドディスク５から読み出す構成としてもよい。
【００８１】
図５および図７を参照して、起動処理部９１は、入力装置１８によって受付けた操作指示（電源のＯＮ等、ＰＣ１６の起動指示）に応じて（Ｓ２０１においてＹＥＳ）、ＨＤＤ１２に格納されている更新済ＯＳを読み出し、実行させるものである（Ｓ２０２）。
【００８２】
起動状態判定部９２は、起動処理部９１が正常にＯＳを実行しているか否か判定するものである（Ｓ２０３）。起動状態判定部９２は、正常にＯＳを実行することができないと判定した場合（Ｓ２０３においてＮＯ）、ＯＳ読み出し指示部９３にその判定結果を通知する。なお、正常にＯＳが実行されていれば（Ｓ２０３においてＹＥＳ）、通常どおり、起動処理部９１によって、ＯＳの実行、および、ＰＣ１６の起動処理が継続される（Ｓ２１３）。
【００８３】
ＯＳ読み出し指示部９３は、起動状態判定部９２からの、正常にＯＳを実行することができないという判定結果の通知に応じて、ＯＳの起動または再インストールをハイブリッドドライブ１に指示するものである。より具体的には、ＯＳ読み出し指示部９３は、ハイブリッドドライブ１に対して、ＯＳの読み出しを指示する。すなわち、更新済ＯＳの送信要求をハイブリッドドライブ１に対して送信する（Ｓ２０４）。
【００８４】
ハイブリッドドライブ１では、ＯＳ読み出し指示部９３からのＯＳ読み出し指示（送信要求）を、インターフェイス部８を介して読み出し指示取得部２７が取得する（Ｓ２０５）。読み出し指示取得部２７は、ＯＳ読み出し指示部９３から送信されたＯＳ読み出し指示に応じて、エラー判定部２８に不揮発性メモリ部３に格納されているＯＳに不具合が生じていないかどうか判定するように指示する。
【００８５】
エラー判定部２８は、不具合が生じていないと判定した場合（Ｓ２０７においてＹＥＳ）、記録再生制御部２６に指示して不揮発性メモリ部３から更新済ＯＳを取得させる。記録再生制御部２６は、更新済ＯＳを取得するとインターフェイス部８を通じて起動処理部９１に送信する（Ｓ２０８）。起動処理部９１は、記録再生制御部２６から送信された更新済ＯＳを実行させ、ＰＣ１６の起動処理を行う（Ｓ２０９）。このようにして、ＰＣ１６は、不揮発性メモリ部３に格納された更新済ＯＳで起動し、その後、この更新済ＯＳをＨＤＤ１２に再インストールする（Ｓ２１０）。
【００８６】
一方、不具合が生じていると判定した場合（Ｓ２０７においてＮＯ）、エラー判定部２８は、記録再生制御部２６に指示してハイブリッドディスク５から更新済ＯＳを取得させる。記録再生制御部２６は、エラー判定部２８からの指示に応じて、ハイブリッドディスク５から更新済ＯＳを読み出すように記録再生部４を制御する。記録再生部４は、記録再生制御部２６からの制御指示に応じて、ハイブリッドディスク５のＲＥ層から更新済ＯＳを読み出し、記録再生制御部２６に送信する（Ｓ２１１）。
【００８７】
記録再生制御部２６は、更新済ＯＳを取得するとインターフェイス部８を通じて起動処理部９１に送信する（Ｓ２１１）。起動処理部９１は、記録再生制御部２６から送信された更新済ＯＳによりＰＣ１６の起動処理を行う（Ｓ２０９）。このようにして、ＰＣ１６は、ハイブリッドディスク５に格納された更新済ＯＳで起動し、その後、この更新済ＯＳをＨＤＤ１２に再インストールする（Ｓ２１０）。
【００８８】
なお、ＰＣ１６で実行させるＯＳに対応づけられ作成されたオリジナルディスクであるハイブリッドディスク５が装填されている場合に限り（Ｓ２０６においてＹＥＳ）、上述したように、不揮発性メモリ部３、またはハイブリッドディスク５のＲＥ層７に格納された更新済ＯＳにより起動処理を行い（Ｓ２０８からＳ２０９、または、Ｓ２１１からＳ２０９）、そしてこの更新済ＯＳを使ってＨＤＤ１２に格納されているＯＳの再インストール処理（Ｓ２１０）を行うことができるように構成されている。このため、このハイブリッドディスク５を利用して不正に他のＰＣにＯＳをインストールすることを防ぐことができる。ハイブリッドディスク５の装填は、ディスク装填確認部２１によって確認される。なお、Ｓ２０６において、ハイブリッドディスク５が装填されていないことが、ディスク装填確認部２１によって確認された場合には、ハイブリッドドライブ１は、エラー処理を実行してもよい（Ｓ２１２）。つまり、エラー結果をＰＣ１６に返してもよい。これにより、ＰＣ１６の主制御部９０は、ハイブリッドディスク５を装填するようにユーザに促すメッセージをディスプレイ１７に出力するなどのエラー対応を実行することができる。
【００８９】
また、上述したように、不揮発性メモリ部３に格納している更新済ＯＳに不具合が生じていない限り、ＰＣ１６の起動処理およびＯＳの再インストールはこの不揮発性メモリ部３に格納されている更新済ＯＳを使って行われる。このため、ハイブリッドディスク５を装填して、このハイブリッドディスク５によりＰＣ１６の起動処理をユーザが行っているつもりであったとしても、実際は、更新済ＯＳを不揮発性メモリ部３から読み出すこととなる。このため、ハイブリッドディスク５をブートディスクとしてＰＣ１６の起動処理を行う場合、その起動処理を高速に行うことができる。このため、ユーザは多大なストレスを感じることなくＰＣ１６を起動させることができる。また、更新済ＯＳの再インストール処理実行の際、ハイブリッドディスク５を常に回転させておく必要がないため、実際にハイブリッドディスク５から更新済ＯＳを読み出してＯＳの再インストールを行う場合よりも消費電力を低減させることができる。
【００９０】
以上のように、本実施の形態に係るＰＣ１６では、最新状態に更新されたＯＳのブート用イメージファイル（更新済ＯＳ）をハイブリッドドライブ１が備える不揮発性メモリ部３とハイブリッドディスク５とにそれぞれ記録しておくことができる。
【００９１】
このため、本体部６０におけるＨＤＤ１２に記録した更新済ＯＳを読み出して正常に実行することができない場合、不揮発性メモリ部３またはハイブリッドディスク５から更新済ＯＳを取得し、更新済ＯＳによりＰＣ１６を起動することができる。
【００９２】
このように、最新の状態に更新されたＯＳによりＰＣ１６を起動させ各種処理を行うことができるため、通信ネットワークを通じて外部から新たな情報を取得するような場合であっても、ウィルスに感染する等のリスクを低減させることができる。つまり、安全性を確保してＰＣ１６を起動させることができる。
【００９３】
また、ＨＤＤ１２に格納した更新済ＯＳを読み出し正常に実行させることができない場合、本実施の形態に係るＰＣ１６では、ハイブリッドディスク５よりも優先して、不揮発性メモリ部３に格納された更新済ＯＳを読み出す構成である。
【００９４】
ここで、不揮発性メモリ部３から更新済ＯＳを読み出す場合とハイブリッドディスク５から更新済ＯＳを読み出す場合とを比較すると、前者の方が迅速に読み出しを行うことができる。
【００９５】
また、不揮発性メモリ部３からの読み出しにかかる時間は、ユーザがストレスを感じない程度に充分に高速である。このため、ＨＤＤ１２から更新済ＯＳを読み出すことができない場合であっても、ユーザにストレスを感じさせずに迅速に更新済ＯＳを不揮発性メモリ部３から読み出し実行することができる。
【００９６】
また、本体部６０における不具合がハイブリッドドライブ１にも影響を与えており、不揮発性メモリ部３からも更新済ＯＳを読み出し実行することができない場合がある。このような場合であっても、ハイブリッドディスク５に格納した更新済ＯＳを使って更新された状態のＯＳを立ち上げることができる。
【００９７】
また、本実施の形態に係るハイブリッドディスク５のＲＯＭ層６のユーザデータ領域１０３に、ＯＳの製品メーカーが用意したＯＳのブート用イメージファイル（オリジナルＯＳ）が予め記録されている。このため、傷等によりＲＥ層７から更新済ＯＳが読み出せなくなったり、ＲＥ層７のユーザデータ領域１０３に記録してある更新済ＯＳが誤って書き換えられてしまったりした場合でも、ＲＯＭ層６からオリジナルＯＳを読み出し、再インストールに利用できる。それゆえ、ＰＣ１６においてＯＳを実行させることができず起動することができないといった事態が生じることを回避することができる。
【００９８】
（（権利範囲を広げるための記載））
本実施の形態に係るハイブリッドドライブ１では、ハイブリッドディスク５のＲＥ層７への情報の書き込みは、ＲＯＭ層６に格納した特定のプログラムを実行させ、ＲＯＭ層６に格納された鍵情報を利用しなければ実行できないようになっていた。しかしながら、この特定のプログラムをＲＯＭ層６に格納させておく構成に限定されるものではなく、この特定のプログラムは、ＯＳの更新情報とともに配布される構成であってもよい。
【００９９】
また、ハイブリッドドライブ主制御部２が有する上記した機能ブロック、すなわちディスク装填確認部２１、層情報取得部２２、起動層認識部２３、更新情報取得部２５、記録再生制御部２６、読み出し指示取得部２７、エラー判定部２８、および同期指示部２９は、本体部６０の主制御部９０が機能ブロックとして備える構成であってもよい。
【０１００】
最後に、ＰＣ１６の本体部６０およびハイブリッドドライブ１それぞれが備える各ブロック、特には、ディスク装填確認部２１、層情報取得部２２、起動層認識部２３、更新情報取得部２５、記録再生制御部２６、読み出し指示取得部２７、エラー判定部２８、および同期指示部２９、ならびに起動処理部９１、起動状態判定部９２、およびＯＳ読み出し指示部９３は、ハードウェアロジックによって構成してもよいし、次のようにＣＰＵを用いてソフトウェアによって実現してもよい。
【０１０１】
すなわち、本体部６０およびハイブリッドドライブ１それぞれは、各機能を実現する制御プログラムの命令を実行するＣＰＵ、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである本体部６０における制御プログラム、およびハイブリッドドライブ１の制御プログラムのプログラムコード（実行形式プログラム、中間コードプログラム、ソースプログラム）をコンピュータで読み取り可能に記録した記録媒体を、上記本体部６０およびハイブリッドドライブ１に供給し、そのコンピュータ（またはＣＰＵやＭＰＵ）が記録媒体に記録されているプログラムコードを読み出し実行することによっても、達成可能である。なお、本発明は、上記プログラムコードが電子的な伝送で具現化された、搬送波に埋め込まれたコンピュータデータ信号の形態でも実現され得る。
【０１０２】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１０３】
〔課題を解決するための手段〕
なお、本発明は以下のようにも構成できる。
【０１０４】
また、本発明に係る記録再生装置は、上記した構成において、上記記憶装置に記録した更新済オペレーティングシステム情報と一致するように、上記光ディスクの第二記録層に記録している更新済オペレーティングシステム情報を書き換えるように所定のタイミングで第二記録手段に指示する同期手段を備えるように構成されていてもよい。
【０１０５】
上記した構成によると、同期手段を備えているため、光ディスクに格納している更新済オペレーティングシステム情報を、記憶装置に格納している更新済オペレーティングシステム情報と同様の内容になるように、逐次管理しておくことができる。
【０１０６】
なお、所定のタイミングとは、光ディスクが本発明に係る記録再生装置に装填されたタイミングであってもよいし、所定の時間間隔であってもよい。もしくは、ユーザから指示されたタイミングであってもよい。
【０１０７】
また、本発明に係る記録再生装置は、上記した構成において、上記情報処理装置から更新済オペレーティングシステム情報の送信を要求する送信要求を取得する要求取得手段と、上記第二記録層と上記記憶装置とに上記更新済オペレーティングシステム情報が記録されている場合、上記要求取得手段によって取得した送信要求に応じて、上記記憶装置から更新済オペレーティングシステム情報を読み出し、上記情報処理装置に送信する第一読み出し手段を備えるように構成されていてもよい。
【０１０８】
上記構成によると、上記要求取得手段を備えているため、情報処理装置から更新済オペレーティングシステム情報の送信要求、すなわち、オペレーティングシステムの起動要求または再インストール要求を受付けることができる。
【０１０９】
また、第一読み出し手段を備えているため、上記第二記録層と上記記憶装置とに上記更新済オペレーティングシステム情報が記録されている場合、記憶装置に格納した更新済オペレーティングシステム情報を読み出し、情報処理装置に送信する。すなわち、情報の読み出しが光ディスクよりも高速な記憶装置から更新済オペレーティングシステム情報を読み出すことができる。
【０１１０】
したがって、光ディスクが読み込み可能になるまで待つ必要が無いので、更新済オペレーティングシステム情報を光ディスクから読み出すよりも速く読み出すことができ、迅速なオペレーティングシステムの起動処理または再インストールを実現することができる。このため、ユーザは多大なストレスを感じることなく情報処理装置を起動させることができる。
【０１１１】
また、オペレーティングシステムの再インストール処理実行の際、記憶装置から読み出しを行うので、光ディスクを常に回転させておく必要がないため、実際に光ディスクからオペレーティングシステムを読み出してオペレーティングシステムの再インストールを行う場合よりも消費電力を低減させることができる。
【０１１２】
また、本発明に係る記録再生装置は、上記した構成において、上記送信要求を上記要求取得手段が取得した場合、上記記憶装置に記憶した更新済オペレーティングシステム情報に不具合があるか否か判定する判定手段と、上記判定手段が、不具合があると判定した場合、上記光ディスクの第二記録層から更新済オペレーティングシステム情報を読み出し、上記情報処理装置に送信する第二読み出し手段とを備えるように構成されていてもよい。
【０１１３】
上記した構成によると、上記判定手段および第二読み出し手段を備えているため、記憶装置に記憶した更新済オペレーティングシステム情報に不具合がある場合は、光ディスクの第二記録層に記録した更新済オペレーティングシステム情報を読み出すことができる。
【０１１４】
このため、情報処理装置においてオペレーティングシステムの再インストールの要求があった場合、記憶装置に記憶された更新済オペレーティングシステム情報に不具合があるときは、光ディスクから更新済オペレーティングシステム情報を読み出すことができる。
【０１１５】
また、本発明に係る記録再生装置は、上記した構成において、さらに、上記光ディスクが当該記録再生装置に装填されているか否かを確認するディスク装填確認手段を備え、上記第一読み出し手段は、上記ディスク装填確認手段によって、上記光ディスクが装填されていると確認された場合に限り、上記記憶装置から上記更新済オペレーティングシステム情報を読み出すように構成されていてもよい。
【０１１６】
上記した構成によると、記録再生装置に光ディスクがなければ、記憶装置から上記更新済オペレーティングシステム情報を読み出せないようにできるので、光ディスクを用いずに記憶装置に格納されている更新済オペレーティングシステム情報を不正にインストールすることを防ぐことができる。
【０１１７】
また、本発明に係る記録再生装置の上記した構成において、上記第二記録手段は、上記第一記録層に格納された特定のプログラム、または、上記更新済オペレーティングシステム情報とともに配布された特定のプログラムにしたがって動作するように構成されていてもよい。
【０１１８】
上記した構成によると、上記第二記録手段によって第二記録層に格納される更新済オペレーティングシステム情報を、不正に改ざんしたり更新したりすることを防止することができる。
【０１１９】
また、本発明に係る記録再生装置の上記した構成において、上記第二記録手段は、上記第一記録層に格納された鍵情報を利用しなければ、上記第二記録層への書き込みができないように構成されていてもよい。
【０１２０】
上記した構成によると、上記第二記録手段によって第二記録層に格納される更新済オペレーティングシステム情報を、不正に改ざんしたり更新したりすることを防止することができる。
【０１２１】
また、本発明に係る記録再生装置は、上記した構成において、上記記憶装置は、不揮発性の半導体メモリであってもよい。
【０１２２】
上記記憶装置が不揮発性メモリである場合、更新済オペレーティングシステム情報の読み出しにかかる時間を低減させることができる。
【産業上の利用可能性】
【０１２３】
本実施の形態に係るＰＣ１６は、ブートディスクとして光ディスクを利用する場合に広く適用することができる。
【符号の説明】
【０１２４】
１  ハイブリッドドライブ（記録再生装置）
２  ハイブリッドドライブ主制御部
３  不揮発性メモリ部（記憶装置）
４  記録再生部（第二記録手段、第二読み出し手段）
５  ハイブリッドディスク（光ディスク）
６  ＲＯＭ層（第一記録層）
７  ＲＥ層（第二記録層）
１２  ＨＤＤ
１６  ＰＣ
２１  ディスク装填確認部（ディスク装填確認手段）
２５  更新情報取得部（取得手段）
２６  記録再生制御部（第一記録手段、第二記録手段、第一読み出し手段、第二読み出し手段）
２７  読み出し指示取得部（要求取得手段）
２８  エラー判定部（判定手段）
２９  同期指示部（同期手段）
６０  本体部（情報処理装置）
９０  主制御部
９１  起動処理部
９２  起動状態判定部
９３  ＯＳ読み出し指示部
【図１】
2011093494.tif 000003
【図２】
2011093494.tif 000004
【図３】
2011093494.tif 000005
【図４】
2011093494.tif 000006
【図５】
2011093494.tif 000007
【図６】
2011093494.tif 000008
【図７】
2011093494.tif 000009
【手続補正書】
【提出日】平成23年6月15日(2011.6.15)
【手続補正１】
【補正対象書類名】特許請求の範囲
【補正対象項目名】全文
【補正方法】変更
【補正の内容】
【特許請求の範囲】
【請求項１】
情報の書き込みが不可能な記録層であって、情報処理装置により実行されるオペレーティングシステムが予め記録された第一記録層と、情報の書き込みが可能な記録層である第二記録層とを有する光ディスクに対して情報の記録または読み出しを行うハイブリッドドライブ装置において、
更新されたオペレーティングシステムに関する情報である更新済オペレーティングシステム情報を取得する取得手段と、
記録されている情報の読み出しを上記光ディスクよりも高速に行うことができる記憶装置と、
上記記憶装置に上記取得手段により取得した更新済オペレーティングシステム情報を記録する第一記録手段と、
上記記憶装置に記録した更新済オペレーティングシステム情報を上記光ディスクの第二記録層に記録する第二記録手段と、
上記情報処理装置から更新済オペレーティングシステム情報の送信を要求する送信要求を取得する要求取得手段と、
上記要求取得手段が上記送信要求を取得した場合、上記記憶装置に記憶した更新済オペレーティングシステム情報に不具合があるか否か判定する判定手段と、
上記判定手段によって不具合がないと判定された場合、上記要求取得手段が取得した送信要求に応じて、上記記憶装置から更新済オペレーティングシステム情報を読み出し、上記情報処理装置に送信する第一読み出し手段と、
上記判定手段によって不具合があると判定された場合、上記要求取得手段が取得した送信要求に応じて、上記光ディスクの第二記録層から更新済オペレーティングシステム情報を読み出し、上記情報処理装置に送信する第二読み出し手段と、を備えることを特徴とするハイブリッドドライブ装置。
【請求項２】
上記記憶装置に記録した更新済オペレーティングシステム情報と一致するように、上記光ディスクの第二記録層に記録している更新済オペレーティングシステム情報を書き換えるように所定のタイミングで第二記録手段に指示する同期手段を備えることを特徴とする請求項１に記載のハイブリッドドライブ装置。
【請求項３】
（削除）
【請求項４】
（削除）
【請求項５】
上記光ディスクが当該ハイブリッドドライブ装置に装填されているか否かを確認するディスク装填確認手段を備え、
上記第一読み出し手段は、
上記ディスク装填確認手段によって、上記光ディスクが装填されていると確認された場合に限り、上記記憶装置から上記更新済オペレーティングシステム情報を読み出すことを特徴とする請求項１または２に記載のハイブリッドドライブ装置。
【請求項６】
上記第二記録手段は、
上記第一記録層に格納された特定のプログラム、または、上記更新済オペレーティングシステム情報とともに配布された特定のプログラムにしたがって動作することを特徴とする請求項１、２、または５に記載のハイブリッドドライブ装置。
【請求項７】
上記第二記録手段は、
上記第一記録層に格納された鍵情報を利用しなければ、上記第二記録層への書き込みができないことを特徴とする請求項１、２、５、または６に記載のハイブリッドドライブ装置。
【請求項８】
上記記憶装置は、不揮発性の半導体メモリであることを特徴とする請求項１、２、５、６、または７に記載の記録再生装置。
【請求項９】
情報の書き込みが不可能な記録層であって、情報処理装置により実行されるオペレーティングシステムが予め記録された第一記録層と、情報の書き込みが可能な記録層である第二記録層とを有する光ディスクに対して情報の記録または読み出しを行うハイブリッドドライブ装置の制御方法において、
上記ハイブリッドドライブ装置は、記録されている情報の読み出しを上記光ディスクよりも高速に行うことができる記憶装置を備えており、
更新されたオペレーティングシステムに関する情報である更新済オペレーティングシステム情報を取得する取得ステップと、
上記記憶装置に上記取得ステップにおいて取得した更新済オペレーティングシステム情報を記録する第一記録ステップと、
上記記憶装置に記録した更新済オペレーティングシステム情報を上記光ディスクの第二記録層に記録する第二記録ステップと、
上記情報処理装置から更新済オペレーティングシステム情報の送信を要求する送信要求を取得する要求取得ステップと、
上記要求取得ステップにて上記送信要求を取得した場合、上記記憶装置に記憶した更新済オペレーティングシステム情報に不具合があるか否か判定する判定ステップと、
上記判定ステップにて不具合がないと判定された場合、上記要求取得ステップにて取得した送信要求に応じて、上記記憶装置から更新済オペレーティングシステム情報を読み出し、上記情報処理装置に送信する第一読み出しステップと、
上記判定ステップにて不具合があると判定された場合、上記要求取得ステップにて取得した送信要求に応じて、上記光ディスクの第二記録層から更新済オペレーティングシステム情報を読み出し、上記情報処理装置に送信する第二読み出しステップと、を含むことを特徴とするハイブリッドドライブ装置の制御方法。
【請求項１０】
コンピュータを請求項１、２、５、６、７、または８に記載のハイブリッドドライブ装置の各手段として機能させるためのハイブリッドドライブ装置の制御プログラム。
【請求項１１】
請求項１０に記載のハイブリッドドライブ装置の制御プログラムを記録したコンピュータ読み取り可能な記録媒体。
【国際調査報告】
2011093494.tif 000010
2011093494.tif 000011
2011093494.tif 000012
2011093494.tif 000013